【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
複数のマルチユーザ通信グループについて、１以上の無線通信デバイスと通信を行うのに使用される割り当て記録を維持する段階と、
更なる無線通信デバイスに対して、１以上の割り当て記録を生成する段階と、
生成された前記１以上の割り当て記録を含む割り当てメッセージを生成する段階と、
前記更なる無線通信デバイスに、（ｉ）前記割り当てメッセージに基づいてマルチユーザグループテーブルを初期化又は更新させる、及び、（ｉｉ）前記マルチユーザグループテーブルに基づいて１以上の受信されたマルチユーザ送信をフィルタさせるべく、前記割り当てメッセージを送信する段階と
を備え、
前記割り当て記録は、割り当てられたグループＩＤ及び割り当てられたグループメンバＩＤを含み、
前記割り当てられたグループＩＤは、前記複数のマルチユーザ通信グループのうちの少なくとも１つを特定し、
前記割り当てられたグループメンバＩＤは、前記割り当てられたグループＩＤと関連付けられたマルチユーザ送信内の少なくとも１つの空間的にステアリングされたストリームを特定し、
前記割り当てメッセージは、（ｉ）前記更なる無線通信デバイスに割り当てられた１以上のグループＩＤ及び１以上のグループメンバＩＤ、及び、（ｉｉ）前記更なる無線通信デバイスに割り当てられていない１以上のグループＩＤを示し、
前記更なる無線通信デバイスに割り当てられた前記１以上のグループメンバＩＤは、前記割り当てメッセージに含まれる１つ以上の第１の値によって示され、前記更なる無線通信デバイスに割り当てられていない前記１以上のグループＩＤは、前記割り当てメッセージに含まれる１つ以上の第２の値によって示される
方法。
【請求項２】
前記割り当てメッセージを送信する段階は、前記割り当てメッセージをユニキャストチャネルを介して送信する段階を含み、
前記割り当てメッセージは、前記更なる無線通信デバイスに、アクナリッジメントを送信させ、
前記１つ以上の第１の値は１つ以上の非ゼロの値であり、前記１つ以上の第２の値は１つ以上のゼロの値である請求項１に記載の方法。
【請求項３】
維持されている前記割り当て記録に基づいて、性能特性に基づく割り当て記録を特定する段階を更に備え、
前記１以上の割り当て記録を生成する段階は、
前記特定された割り当て記録のグループＩＤを、前記更なる無線通信デバイスに割り当てる段階と、
前記特定された割り当て記録のグループメンバＩＤを、前記更なる無線通信デバイスに割り当てる段階とを有する請求項１または２に記載の方法。
【請求項４】
前記性能特性に基づく割り当て記録を特定する段階は、
前記特定された割り当て記録と関連付けられたデバイスを特定する段階と、前記特定されたデバイスに、前記特定されたデバイスが、もはや前記特定された割り当て記録に割り当てられていないことを通知する段階とを有する請求項３に記載の方法。
【請求項５】
前記性能特性に基づく割り当て記録を特定する段階は、
空間分割多元接続ベースの送信に対する空間ダイバーシチが不足していることに関連付けられている前記維持されている割り当て記録のうちの少なくとも１つを特定する段階を有する請求項３または４に記載の方法。
【請求項６】
前記１以上の割り当て記録を生成する段階は、グループＩＤ及びグループメンバＩＤの組み合わせを前記更なる無線通信デバイスに割り当てる段階を有し、
前記組み合わせは、２つ以上の無線通信デバイス間で共有される請求項１または２に記載の方法。
【請求項７】
２つ以上のデバイスグループにグループＩＤを割り当てる段階を更に備え、
前記１以上の割り当て記録を生成する段階は、前記２つ以上のデバイスグループに割り当てられた前記グループＩＤを含む割り当て記録を生成する段階を含む請求項１から６のいずれか一項に記載の方法。
【請求項８】
前記割り当てメッセージは、メッセージ・インテグリティ・チェック値（ＭＩＣ値）を含み、
前記更なる無線通信デバイスは、（ｉ）前記ＭＩＣ値が認証されたことに基づいて、確認を送信する、又は、（ｉｉ）前記ＭＩＣ値が認証されなかったことに基づいて、攻撃を受けた疑いがある旨の通知を送信する請求項１から７のいずれか一項に記載の方法。
【請求項９】
複数のマルチユーザ通信グループについて、１以上の無線通信デバイスと通信を行うのに使用される割り当て記録を格納するメモリと、
更なる無線通信デバイスに対して１以上の割り当て記録を生成し、生成された前記１以上の割り当て記録を含む割り当てメッセージを生成し、前記更なる無線通信デバイスに、（ｉ）前記割り当てメッセージに基づいてマルチユーザグループテーブルを初期化又は更新させる、及び、（ｉｉ）前記マルチユーザグループテーブルに基づいて１以上の受信されたマルチユーザ送信をフィルタさせるべく、前記割り当てメッセージの送信を制御するプロセッサ電子回路と
を備え、
前記割り当て記録は、割り当てられたグループＩＤ及び割り当てられたグループメンバＩＤを含み、
前記割り当てられたグループＩＤは、前記複数のマルチユーザ通信グループのうちの少なくとも１つを特定し、
前記割り当てられたグループメンバＩＤは、前記割り当てられたグループＩＤと関連付けられたマルチユーザ送信内の少なくとも１つの空間的にステアリングされたストリームを特定し、
前記割り当てメッセージは、（ｉ）前記更なる無線通信デバイスに割り当てられた１以上のグループＩＤ及び１以上のグループメンバＩＤ、及び、（ｉｉ）前記更なる無線通信デバイスに割り当てられていない１以上のグループＩＤを示し、
前記更なる無線通信デバイスに割り当てられた前記１以上のグループメンバＩＤは、前記割り当てメッセージに含まれる１つ以上の第１の値によって示され、前記更なる無線通信デバイスに割り当てられていない前記１以上のグループＩＤは、前記割り当てメッセージに含まれる１つ以上の第２の値によって示される
装置。
【請求項１０】
前記割り当てメッセージは、ユニキャストチャネルを介して送信され、
前記割り当てメッセージは、前記更なる無線通信デバイスに、アクナリッジメントを送信させ、
前記１つ以上の第１の値は１つ以上の非ゼロの値であり、前記１つ以上の第２の値は１つ以上のゼロの値である請求項９に記載の装置。
【請求項１１】
前記プロセッサ電子回路は、
前記割り当て記録に基づいて、性能特性に基づく割り当て記録を特定し、
前記特定された割り当て記録のグループＩＤを、前記更なる無線通信デバイスに割り当て、
前記特定された割り当て記録のグループメンバＩＤを、前記更なる無線通信デバイスに割り当てる請求項９または１０に記載の装置。
【請求項１２】
前記プロセッサ電子回路は、
前記特定された割り当て記録と関連付けられたデバイスを特定し、
前記特定されたデバイスに対して、前記特定されたデバイスがもはや前記特定された割り当て記録に割り当てられていないことを通知する請求項１１に記載の装置。
【請求項１３】
前記特定された割り当て記録は、空間分割多元接続ベースの送信に対する空間ダイバーシチが不足していることに関連付けられている請求項１１または１２に記載の装置。
【請求項１４】
前記プロセッサ電子回路は、
グループＩＤ及びグループメンバＩＤの組み合わせを前記更なる無線通信デバイスに割り当て、
前記組み合わせは、２つ以上の無線通信デバイス間で共有される請求項９または１０に記載の装置。
【請求項１５】
前記プロセッサ電子回路は、
２つ以上のデバイスグループにグループＩＤを割り当て、
前記更なる無線通信デバイスに対して、前記２つ以上のデバイスグループに割り当てられた前記グループＩＤを含む割り当て記録を生成する請求項９から１４のいずれか一項に記載の装置。
【請求項１６】
前記割り当てメッセージは、メッセージ・インテグリティ・チェック値（ＭＩＣ値）を含み、
前記更なる無線通信デバイスは、（ｉ）前記ＭＩＣ値が認証されたことに基づいて、確認を送信する、又は、（ｉｉ）前記ＭＩＣ値が認証されなかったことに基づいて、攻撃を受けた疑いがある旨の通知を送信する請求項９から１５のいずれか一項に記載の装置。
【請求項１７】
マルチユーザ通信を行う複数のデバイスを備えるシステムであって、
前記複数のデバイスのうちの少なくとも１つが、
複数のマルチユーザ通信グループについて、１以上の無線通信デバイスと通信を行うのに使用される割り当て記録を維持する段階と、
更なる無線通信デバイスに対して、１以上の割り当て記録を生成する段階と、
生成された前記１以上の割り当て記録を含む割り当てメッセージを生成する段階と、
前記更なる無線通信デバイスに、（ｉ）前記割り当てメッセージに基づいてマルチユーザグループテーブルを初期化又は更新させる、及び、（ｉｉ）前記マルチユーザグループテーブルに基づいて１以上の受信されたマルチユーザ送信をフィルタさせるべく、前記割り当てメッセージを送信する段階と
を備えるオペレーションを実行し、
前記割り当て記録は、割り当てられたグループＩＤ及び割り当てられたグループメンバＩＤを含み、
前記割り当てられたグループＩＤは、前記複数のマルチユーザ通信グループのうちの少なくとも１つを特定し、
前記割り当てられたグループメンバＩＤは、前記割り当てられたグループＩＤと関連付けられたマルチユーザ送信内の少なくとも１つの空間的にステアリングされたストリームを特定し、
前記割り当てメッセージは、（ｉ）前記更なる無線通信デバイスに割り当てられた１以上のグループＩＤ及び１以上のグループメンバＩＤ、及び、（ｉｉ）前記更なる無線通信デバイスに割り当てられていない１以上のグループＩＤを示し、
前記更なる無線通信デバイスに割り当てられた前記１以上のグループメンバＩＤは、前記割り当てメッセージに含まれる１つ以上の第１の値によって示され、前記更なる無線通信デバイスに割り当てられていない前記１以上のグループＩＤは、前記割り当てメッセージに含まれる１つ以上の第２の値によって示される
システム。
【請求項１８】
前記割り当てメッセージを送信する段階は、前記割り当てメッセージをユニキャストチャネルを介して送信する段階を含み、
前記割り当てメッセージは、前記更なる無線通信デバイスに、アクナリッジメントを送信させ、
前記１つ以上の第１の値は１つ以上の非ゼロの値であり、前記１つ以上の第２の値は１つ以上のゼロの値である請求項１７に記載のシステム。
【請求項１９】
前記オペレーションは、維持されている前記割り当て記録に基づいて、性能特性に基づく割り当て記録を特定する段階を更に備え、
前記１以上の割り当て記録を生成する段階は、
前記特定された割り当て記録のグループＩＤを、前記更なる無線通信デバイスに割り当てる段階と、
前記特定された割り当て記録のグループメンバＩＤを、前記更なる無線通信デバイスに割り当てる段階とを有する請求項１７または１８に記載のシステム。
【請求項２０】
前記性能特性に基づく割り当て記録を特定する段階は、
前記特定された割り当て記録と関連付けられたデバイスを特定する段階と、前記特定されたデバイスに、前記特定されたデバイスが、もはや前記特定された割り当て記録に割り当てられていないことを通知する段階とを有する請求項１９に記載のシステム。
【請求項２１】
前記性能特性に基づく割り当て記録を特定する段階は、
空間分割多元接続ベースの送信に対する空間ダイバーシチが不足していることに関連付けられている前記維持されている割り当て記録のうちの少なくとも１つを特定する段階を有する請求項１９または２０に記載のシステム。
【請求項２２】
前記１以上の割り当て記録を生成する段階は、グループＩＤ及びグループメンバＩＤの組み合わせを前記更なる無線通信デバイスに割り当てる段階を有し、
前記組み合わせは、２つ以上の無線通信デバイス間で共有される請求項１７または１８に記載のシステム。
【請求項２３】
前記オペレーションは、
２つ以上のデバイスグループに１つのグループＩＤを割り当てる段階を更に備え、
前記１以上の割り当て記録を生成する段階は、前記２つ以上のデバイスグループに割り当てられた前記グループＩＤを含む割り当て記録を生成する段階を含む請求項１７から２２のいずれか一項に記載のシステム。
【請求項２４】
前記割り当てメッセージは、メッセージ・インテグリティ・チェック値（ＭＩＣ値）を含み、
前記更なる無線通信デバイスは、（ｉ）前記ＭＩＣ値が認証されたことに基づいて、確認を送信する、又は、（ｉｉ）前記ＭＩＣ値が認証されなかったことに基づいて、攻撃を受けた疑いがある旨の通知を送信する請求項１７から２３のいずれか一項に記載のシステム。